(57)【特許請求の範囲】
【請求項１】
斜面に間隔を隔てて立設した複数の支柱と、複数の支柱の頭部間に垂下した防護ネットとを具備し、下端を斜面裾部へ向けて配置した防護ネットと斜面との間に防護ネットの裾部へ向けて空間が徐々に狭くなるポケットを形成した防護柵であって、
各支柱の山側斜面と支柱頭部間に複数の山側控えロープを張設し、
各支柱の谷側斜面と支柱頭部間に逆Ｖ字形を呈するように一対の谷側斜ロープを一組とする複数組の谷側斜ロープを張設し、
前記防護ネットが複数の支柱の頭部間に垂下した帯状の網体と、
前記網体と別体であり、該網体の上面に被せつつ、該網体の斜めに縦断する方向に沿って配置し、該網体の変形を拘束可能な前記複数組の谷側斜ロープとにより構成し、
支柱の頭部に相反する方向へ向けて複数の支持力が作用するように、少なくとも前記複数の山側控えロープおよび前記複数組の谷側斜ロープを張設して支柱の頭部に接続して支柱を定位置に保持したことを特徴とする、防護柵。
【請求項２】
支柱の山側斜面と支柱頭部間にＶ字形を呈するように一対の山側控えロープを一組とする複数組の山側控えロープを張設したことを特徴とする、請求項１に記載の防護柵。
【請求項３】
支柱の山側斜面に間隔を隔てて複数の山側アンカーを設け、前記山側アンカーを共有させて複数の山側控えロープの基端を固定したことを特徴とする、請求項２に記載の防護柵。
【請求項４】
支柱の谷側斜面に間隔を隔てて複数の谷側アンカーを設け、前記谷側アンカーを共有させて複数の谷側斜ロープの基端を固定したことを特徴とする、請求項２に記載の防護柵。
【請求項５】
前記支柱の基礎部にヒンジ機構を有していることを特徴とする、請求項１に記載の防護柵。
【請求項６】
隣り合う支柱の頭部間に間隔保持材を横架したことを特徴とする、請求項１に記載の防護柵。
【請求項７】
端部の支柱の頭部と側方斜面との間に側方控えロープを張設して間隔保持材に連続性を付与したことを特徴とする、請求項６に記載の防護柵。
【発明の詳細な説明】
【技術分野】
【０００１】
本発明は雪崩、崩落土砂、落石等の崩落物を安全な斜面下流へ誘導するポケット式の防護柵に関する。
【背景技術】
【０００２】
ポケット式の防護柵は広く知られている（特許文献１〜３）。
図９を参照して説明すると、従来の防護柵は斜面に間隔を隔てて立設した複数の支柱１と、複数の支柱１の頭部間にカーテン状に垂下した防護ネット２とを具備する。
各支柱１の頭部には１本の控えロープ４が接続し、各支柱１は控えロープ４と控えロープの基端を固定した山側アンカー３とにより支持されている。
防護ネット２は斜面の広範囲を被覆可能な大きさの金網５と、金網５の全面に亘って縦横方向に配置して組み立てた複数の縦ロープ６と複数の横ロープ７とからなる。
防護ネット２の左右両側の側方斜面には複数のアンカー８が設けられていて、これらの各アンカー８に横ロープ７の両端部が固定されている。
防護ネット２と斜面との間には空間が形成されていて、防護ネット２の上部の空間が最も広く、防護ネット２の裾部へ向かうにつれて徐々に内部空間が狭くなっている。
従来の防護柵は、防護ネット２の上部の開放空間を通じて崩落物を防護ネット２の内部空間へ受け入れ、斜面と防護ネット２間の摩擦抵抗により崩落物の落下エネルギーを減衰する構造になっている。
従来の防護柵は、控えロープ４の基端を固定した山側アンカー３で支柱１を支持し、金網５に横架した複数の横ロープ７と、横ロープ７の両端を固定した複数のアンカー８とにより、防護ネット２の変形を拘束する構造になっている。
【先行技術文献】
【特許文献】
【０００３】
【特許文献１】特開平７−２１６８３０号公報
【特許文献２】特開２０１１−８０２２５号公報
【特許文献３】特開２０１３−２１７０２０９号公報
【発明の開示】
【発明が解決しようとする課題】
【０００４】
従来の防護柵にはつぎの問題点がある。
＜１＞特許文献１〜３に開示された防護柵は、原則的に１本の支柱１を支えるために、支柱１の真上の山側斜面に１つの山側アンカー３を設け、山側アンカー３と支柱１頭部の間に接続した１本の控えロープ４で支持する構造である。
そのため、受撃時に支柱１が傾倒し易く、支柱１が傾倒すると、防護ネット２の衝撃吸収性能に悪影響を及ぼす。
＜２＞防護ネット２の変形を拘束するためには、斜面に多数のアンカー８を設置して各横ロープ７の両端をアンカー８に固定しなければならない。
急峻な斜面におけるアンカー８の設置作業が極めて困難であり、アンカー工に多くの時間と労力とコストがかかる。
＜３＞金網５の全体に亘って複数の縦横ロープ６，７を配置するためには、長大な長さのロープを使用する必要があり、さらに各縦横ロープ６，７の交点をクリップ等の固定具で固定しなればならず、防護ネット２の組み立てに多くの時間と労力を要する。
＜４＞複数の縦ロープ６は、下端が斜面に固定されずにフリー状態であるため、防護ネット２の変形抑制作用を十分に発揮することができない。
殊に、隣り合う支柱１，１間に位置する縦ロープ６ａは、荷重を伝達可能なように支柱１に対して直接接続されていないために、防護ネット２の変形抑制作用をほとんど発揮できない。【０００５】
本発明は以上の点に鑑みてなされたもので、その目的とするところは簡易な構造で支柱の姿勢を維持しつつ支柱を定位置に保持できる防護柵を提供することにある。
さらに本発明の他の目的は、横ロープを設置せずに、防護ネットの変形を拘束できる防護柵を提供することにある。
【課題を解決するための手段】
【０００６】
本発明は、斜面に間隔を隔てて立設した複数の支柱と、複数の支柱の頭部間に垂下した防護ネットとを具備し、下端を斜面裾部へ向けて配置した防護ネットと斜面との間に防護ネットの裾部へ向けて空間が徐々に狭くなるポケットを形成した防護ネットを前提とする。
各支柱の山側斜面と支柱頭部間には複数の山側控えロープを張設し、各支柱の谷側斜面と支柱頭部間には逆Ｖ字形を呈するように一対の谷側斜ロープを一組とする複数組の谷側斜ロープを張設する。
前記防護ネットは複数の支柱の頭部間に垂下した帯状の網体と、前記網体と別体であり、該網体の上面に被せつつ、該網体の斜めに縦断する方向に沿って配置し、該網体の変形を拘束可能な前記複数組の谷側斜ロープとにより構成する。
支柱の頭部に相反する方向へ向けて複数の支持力が作用するように、少なくとも前記複数の山側控えロープおよび前記複数組の谷側斜ロープを張設して支柱の頭部に接続して支柱を定位置に保持する。
本発明の他の形態においては、支柱の山側斜面と支柱頭部間にＶ字形を呈するように張設した一対の山側控えロープを一組とする複数組の山側控えロープと、逆Ｖ字形を呈する複数組の谷側斜ロープと組み合わせて張設してもよい。
本発明の他の形態においては、支柱の山側斜面に間隔を隔てて複数の山側アンカーを設け、前記山側アンカーを共有させて複数の山側控えロープの基端を固定する。
本発明の他の形態においては、支柱の谷側斜面に間隔を隔てて複数の谷側アンカーを設け、前記谷側アンカーを共有させて複数の谷側斜ロープの基端を固定する。
本発明の他の形態においては、前記支柱の基礎部にヒンジ機構を有していて、支柱の傾倒を許容するようにしてもよい。
本発明の他の形態においては、隣り合う支柱の頭部間に間隔保持材を横架し、端部の支柱の頭部と側方斜面との間に側方控えロープを張設して間隔保持材に連続性を付与する。
【発明の効果】
【０００７】
本発明は上記した構成を有することから、少なくともつぎのひとつの効果を奏する。
＜１＞支柱の頭部に相反する方向へ向けて複数の支持力が作用するように、複数の山側控えロープと複数組の谷側斜ロープを支柱の頭部に接続するだけの簡易な構造で以て、支柱の姿勢を維持しつつ支柱を定位置に保持することができる。
＜２＞網体を斜めに縦断する方向に沿って複数組の谷側斜ロープを配置することで、網体の変形を効果的に拘束することができる。
したがって、多数の横ロープを使用せずに、防護ネットの変形を拘束できるから、多数の横ロープだけでなく、各横ロープの両端を固定するアンカーも不要となる。
＜３＞支柱の高さを高くしても支柱の安定した姿勢を維持できるので、防護柵の大型化に適している。
＜４＞支柱の谷側斜面と支柱頭部間に張設した複数の谷側斜ロープが、網体の補強機能と、支柱の控えロープ機能、および網体の変形拘束機能を併有して、複数種類のロープを兼用する。
そのため、防護柵に使用するロープ長を大幅に削減できて、工費の削減および工期の短縮が可能となる。
【図面の簡単な説明】
【０００８】
【図１】本発明に係る防護柵の全体斜視図
【図２】防護柵の平面モデル図
【図３】図２におけるIII−IIIの断面図
【図４】一部を省略した支柱の基礎部のヒンジ機構の分解図
【図５】一部を省略した支柱頭部の斜視図
【図６】支柱の支持形態を説明するための一部を省略した防護柵の平面モデル図
【図７】支柱の他の支持形態を説明するための一部を省略した防護柵の平面モデル図
【図８】支柱の他の支持形態を説明するための一部を省略した防護柵の平面モデル図
【図９】本発明が前提とする防護柵の平面モデル図
【発明を実施するための形態】
【０００９】
図１〜６を参照しながら本発明の実施の形態について説明する。
【００１０】
＜１＞防護柵の概要
図１〜３を参照して説明すると、本発明に係る防護柵は、斜面１０に間隔を隔てて立設した複数の支柱２０と、これらの支柱２０の頭部間に垂下した網体３１と、支柱２０の斜面山側に設けた複数の山側アンカー１１と、網体３０の斜面谷側に設けた複数の谷側アンカー１２と、左右一対の山側アンカー１１，１１と各支柱２０の頭部間にＶ字形に張設した一対の山側控えロープ３２，３２を一組とする複数組の山側控えロープ３２と、左右一対の谷側アンカー１２，１２と各支柱２０の頭部間に逆Ｖ字形に張設した一対の谷側斜ロープ３３，３３を一組とする複数組の谷側斜ロープ３３とを具備する。
隣り合う各支柱２０の頭部間には間隔保持材３４が配置してあり、端末の支柱２０の側方斜面に設けた側方アンカー１３と端末の支柱２０の頭部の間には側方控えロープ３５が張設してある。
防護ネット３０は網体３１と複数組の谷側斜ロープ３３とにより構成する。
各支柱２０は、少なくとも山側控えロープ３２，３２および複数の谷側斜ロープ３３，３３を支柱２０の頭部に接続することで支柱２０を定位置に保持し得るように支持されている。
以下に防護柵を構成する各部材について詳説する。
【００１１】
＜２＞支柱
支柱２０は防護ネット３０を垂下するための曲げ強度と圧縮強度の高い支柱であり、例えばＨ鋼、ボックス鋼、鋼管製、コンクリート充填鋼管等が適用可能である。
【００１２】
＜２．１＞ヒンジ機構
支柱２０はその基礎部に公知のヒンジ機構２１を有していて、斜面１０の傾斜方向または全方向に対して傾倒可能である。
図３，４にヒンジ機構２１の一例を示す。本例のヒンジ機構２１は、支柱２０の下部に一体に形成したブラケット２２と、ブラケット２３を立設した基板２４と、両ブラケット２２，２３の間を枢支する支軸２５とにより構成する。
基板２２は例えばピン２６を打ち込んで斜面１０に固定する。
なお、ヒンジ機構２１は必須ではなく、支柱２０を非傾倒式に立設してもよい。
【００１３】
＜２．２＞支柱下部の他の固定方法
支柱２０の下部の他の固定方法としては、例えば支柱２０の下部を斜面１０に直接埋設して立設したり、斜面に設けた基礎コンクリートに支柱２０の下部を埋設して立設したり、公知の固定方法を適用できる。
【００１４】
＜３＞アンカー
山側アンカー１１、谷側アンカー１２、および側方アンカー１３は、アンカー耐力に優れた公知の鋼棒製またはロープ製のアンカーである。
これらの各アンカー１１，１２，１３は斜面１０に直接定着するものの他に、斜面１０に基礎コンクリートを構築し、基礎コンクリートに設置したアンカーを含む。
各アンカー１１，１２，１３は、想定される崩落物の衝撃荷重等を考慮して適宜選択する。
【００１５】
＜３．１＞山側アンカー
山側アンカー１１は山側控えロープ３２の一端を固定するためのアンカーであり、支柱２０の中心を通る縦線から離れた位置に設ける。
一対で設ける場合、山側アンカー１１，１１は支柱２０の斜面山側であって、支柱２０に対して左右斜め上方の位置に設ける。
本例ではひとつの山側アンカー１１を共有して２本の山側控えロープ３２，３２を固定する形態を示すが、山側アンカー１１を共有せずに山側控えロープ３２毎に山側アンカー１１を設けてもよい。
【００１６】
＜３．２＞谷側アンカー
谷側アンカー１２は谷側斜ロープ３３の一端を固定するためのアンカーであり、支柱２０の中心を通る縦線から離れた位置に設ける。
一対で設ける場合、谷側アンカー１２，１２は支柱２０の斜面谷側であって、支柱２０に対して左右斜め下方の位置に設ける。
本例ではひとつの谷側アンカー１２を共有して２本の谷側斜ロープ３３，３３を固定する形態を示すが、谷側アンカー１２を共有せずに谷側斜ロープ３３毎に谷側アンカー１２を設けてもよい。
【００１７】
＜３．３＞側方アンカー
側方アンカー１３は側方控えロープ３５の一端を固定するためのアンカーであり、支柱２０の側方斜面に設ける。
【００１８】
＜４＞支柱頭部を支持するロープ
以下に支柱２０の頭部を支持するロープについて詳述する。
【００１９】
＜４．１＞山側控えロープ
一対の山側控えロープ３２，３２は一対の山側アンカー１１，１１と支柱２０の頭部間に張設した控えロープであり、一対の谷側斜ロープ３３，３３と協働して支柱２０の安定姿勢を確保するために機能する。
【００２０】
＜４．２＞谷側斜ロープ
本発明では、支柱２０の姿勢をより安定して保持するためと、ロープを兼用させてロープの使用量とアンカー数を削減するために、支柱２０の頭部と一対の谷側アンカー１２，１２と間に一対の谷側斜ロープ３３，３３を張設したものである。
一般に、防護ネット３０に衝撃荷重が作用した際に、その反動で斜面山側へ向けて支柱２０が傾倒する場合があるが、一対の谷側斜ロープ３３，３３は斜面山側へ向けた支柱２０の傾倒を拘束する。
一対の谷側斜ロープ３３，３３は、防護ネット３０の補強機能、一対の山側控えロープ３２，３２と協働して支柱２０の姿勢をより安定させて保持する控えロープ機能、および網体３１の変形拘束機能を有する。
【００２１】
＜４．３＞間隔保持材
間隔保持材３４は、隣り合う支柱２０の頭部間に設置するロープ製または鋼管製の部材であり、支柱２０の間隔を一定に保持するために機能する。
本例では間隔保持材３４がロープ製である場合について説明する。
【００２２】
＜４．４＞側方ロープ
側方ロープ３５は、支柱２０の頭部と側方アンカー１３との間に張設するロープであり、支柱２０の頭部間に横架した間隔保持材３４に連続性を付与するために機能する。
【００２３】
＜４．５＞ロープの素材
前記した山側控えロープ３２、谷側斜ロープ３３、間隔保持材３４、および側方控えロープ３５は、鋼製、繊維製、樹脂製の引張強度、耐久性および耐候性に優れた素材からなる。
【００２４】
＜６＞防護ネット
防護ネット３０は網体３１と、網体３１を覆う複数組の谷側斜ロープ３３とにより構成する。
防護ネット３０の上辺は複数の支柱２０の頭部に垂下し、防護ネット３０の下端は斜面裾部へ向けて這わせてある。
防護ネット３０と斜面１０との間には、防護ネット３０の裾部へ向けて空間が徐々に狭くなるポケット４０を形成している。
【００２５】
＜６．１＞網体
網体３１は鋼製、繊維製、樹脂製の引張強度、耐久性および耐候性に優れた素材からなる公知のネットである。
【００２６】
＜６．２＞谷側斜ロープ
谷側斜ロープ３３は網体３１を斜めに縦断可能な全長を有するロープであり、網体３１の補強機能、支柱２０を斜面谷側から支える控えロープ機能、および網体３１の変形拘束機能を有する。
【００２７】
［防護柵の構築方法］
つぎに防護柵の構築方法について説明する。
＜１＞支柱の立設
図１，２を参照して説明すると、間隔を隔てて斜面１０に複数の支柱２０を立設する。
【００２８】
＜２＞アンカー工
斜面１０の既述した所定位置に複数のアンカー１１〜１３を設ける。
本例では、防護柵を設置するために斜面１０の上下位置に複数の山側アンカー１１と山側アンカー１１を設けるだけでよく、防護ネット３０を横断する多数の横ロープや各横ロープの両端を固定する多数のアンカーを設ける必要がない。
【００２９】
＜３＞控えロープの接続
左右一対の山側アンカー１１，１１と各支柱２０の頭部間には一対の山側控えロープ３２，３２をＶ字形に接続し、隣り合う支柱２０の頭部間には間隔保持材３４を接続し、端末の支柱２０の頭部と側方アンカー１３間には側方控えロープ３５を接続して支柱２０の起立状態を保持する。
連続した波形形状に配置した複数の山側控えロープ３２と複数の山側アンカー１１が、各支柱２０の斜面谷側へ向けた傾倒を阻止する。
本例のように、隣り合う二本の山側控えロープ３２，３２の基端を一本の山側アンカー１１に固定してアンカーを共有すると、山側アンカー１１の設置数を半減できる。
なお、山側アンカー１１を共有せずに各山側控えロープ３２の基端を個別の山側アンカー１１に固定してもよい。
【００３０】
＜４＞防護ネットの設置
以下の要領で各支柱２０の頭部間に防護ネット３０を垂下する。
【００３１】
＜４．１＞網体の吊下げ
網体３１の上辺側を複数の支柱２０の頭部間に吊下げ、網体３１の下半を支柱２０の斜面谷側に這わす。
具体的には、網体３１の上辺を支柱２０の頭部間に横架した間隔保持材３４に吊り下げるか、或いは網体３１の上辺を支柱２０の頭部間に横架した図示しない別途のロープに吊り下げる。
網体３１の下辺は、斜面１０に固定するか、または固定せずフリーにしておく。
【００３２】
＜４．２＞谷側斜ロープの設置
最後に各支柱２０の頭部と左右一対の谷側アンカー１２，１２との間に、一対の谷側斜ロープ３３，３３を逆Ｖ字形に接続して防護ネット３０の組み立てを完了する。
網体３１の変形拘束効果を高めるため、複数の谷側斜ロープ３３は網体３１の上方から被せるように配置する。
【００３３】
従来の防護ネットは複数の縦横ロープを格子状組み立てたロープ製ネットを網体に取り付け、各横ロープで拘束していた。
これに対して本発明では、網体３１を拘束するロープが、網体３１を斜めに縦断させた複数の谷側斜ロープ３３だけであるため、従来と比べて網体３１を拘束するために使用するロープ長を大幅に削減できる。
さらに、防護ネット３０を拘束するために必要なアンカーは、支柱２０の斜面谷側に設けた複数の谷側アンカー１２だけでよく、多数の側方アンカーを設ける必要がない。
さらにまた、隣り合う二本の谷側斜ロープ３３，３３の基端を一本の谷側アンカー１２に固定してアンカーを共有すると、谷側アンカー１２の設置数を半減できる。
なお、谷側アンカー１２を共有せずに各谷側斜ロープ３３の基端を専用の谷側アンカー１２に個別に固定してもよい。
【００３４】
＜５＞支柱の姿勢の保持手段
図５，６を参照して説明すると、本例では、支柱２０に対して少なくともＶ字形を呈する一対の山側控えロープ３２，３２を通じて斜面山側へ向けた支持力Ｆ1，Ｆ1が作用するとともに、逆Ｖ字形を呈する一対の谷側斜ロープ３３，３３を通じて斜面谷側へ向けた支持力Ｆ2，Ｆ2が作用する。
これらの支持力Ｆ1，Ｆ1と支持力Ｆ2，Ｆ2は、互いに拮抗していて、力の向きが相反する逆向きの関係にあるため、支持力Ｆ1，Ｆ2方向（斜め方向）だけでなく、縦横方向へ向けた支柱２０の傾倒を効果的に阻止できる。
縦方向へ向けた支柱２０の傾倒を阻止できる理由は、支持力Ｆ1，Ｆ1の合力ＦUと支持力Ｆ2，Ｆ2の合力ＦDが互いに逆向きに発生するためである。
横方向へ向けた支柱２０の傾倒を阻止できる理由は、右半の支持力Ｆ1，Ｆ2の合力ＦRと左半の支持力Ｆ1，Ｆ2の合力ＦLが互いに逆向きに発生するためである。
【００３５】
さらに支柱２０の頭部に接続した間隔保持材３４，３４を通じて横方向へ向けて水平支持力Ｆ3，Ｆ3が作用する。
これらの水平支持力Ｆ3，Ｆ3は、互いに拮抗していて、力の向きが逆向きの関係にあるため、横方向へ向けた支柱２０の傾倒を阻止できる。
【００３６】
このように、少なくとも複数の山側控えロープ３２および複数の山側控えロープ３３を通じて、支柱２０の頭部に相反する方向へ向けて複数の支持力Ｆ1，Ｆ1、Ｆ2，Ｆ2と水平支持力Ｆ3，Ｆ3を作用せることで、支柱２０の頭部を定位置に保持できるため、各支柱２０の安定した姿勢を保持することができる。
【００３７】
［防護柵の作用］
つぎに防護柵の各作用について説明する。
【００３８】
＜１＞防護ネットによる崩落物の捕捉作用
防護柵の防護ネット３０の最上部の開放空間を通じて崩落物がポケット４０の内部へ進入すると、複数の谷側斜ロープ３３で補強された防護ネット３０の強度で以て崩落物の飛び出しを阻止しながら防護ネット３０が崩落物を斜面１０の裾部へ誘導する。
崩落物がポケット４０の内部を通過する際、斜面１０と防護ネット３０間の摩擦抵抗により崩落物の落下エネルギーが減衰される。
最終的に崩落物は斜面１０と防護ネット３０の間で捕捉されて堆積する。
【００３９】
＜２＞谷側斜ロープによる変形拘束作用
前記したように網体３１を斜めに縦断するすべての谷側斜ロープ３３の両端が支柱２０の頭部と谷側アンカー１２に固定してあり、すべての谷側斜ロープ３３は網体３１に対する変形拘束作用を有する。
したがって、崩落物がポケット４０の内部を通過する際、網体３１を覆う複数組の谷側斜ロープ３３，３３が支柱２０と谷側アンカー１２から反力を得て網体３１の変形に抵抗するので、防護ネット３０の変形を効果的に拘束できる。
【００４０】
＜３＞受撃時における支柱の保持作用
支柱２０の頭部には、均等で逆向きの支持力Ｆ1，Ｆ1、Ｆ2，Ｆ2と水平支持力Ｆ3，Ｆ3が作用して各支柱２０の安定姿勢が保持されている。
したがって、崩落物がポケット４０の内部を通過する際、防護ネット３０を通じて崩落物の衝撃荷重が各支柱２０へ作用しても、崩落物の衝撃荷重を、支柱２０の頭部に接続した複数のロープ３２〜３５と、複数のアンカー１１〜１３を通じて分散支持できるので、支柱２０の傾倒を抑止して支柱２０の起立状態を保持できる。
特に、Ｖ字形の山側控えロープ３２，３２と逆Ｖ字形の谷側斜ロープ３３，３３が協働して支柱２０の全方向へ向けた傾倒抑止効果を発揮するとともに、支柱２０に作用する衝撃荷重を分散できるので、各ロープ３２，３３の荷重負担が小さくなる。
したがって、受撃時においても、各支柱２０の安定姿勢を保持できて、防護ネット３０を安定した姿勢で懸架することができる。
【００４１】
［防護柵の他の形態］
以降に図７，８を参照しながら防護柵の他の実施の形態について説明するが、その説明に際し、前記した実施の形態と同一の部位は同一の符号を付してその詳しい説明を省略する。
【００４２】
＜１＞山側控えロープのみをシングルにした形態
先の実施形態では、一対の山側控えロープ３２，３２と、一対の谷側斜ロープ３３，３３をX字形に配置し、その交点で支柱２０を支持する形態について説明した。
【００４３】
図７では山側控えロープ３２と谷側斜ロープ３３を逆Ｙ字形に配置し、その交点で支柱２０を支持する形態について示す。
すなわち、本例では、支柱２０の斜面山側を支柱２０の真上に設けたひとつの山側アンカー１１と一本の山側控えロープ３２で支持し、支柱２０の斜面谷側を一対の谷側アンカー１２，１２と一対の谷側斜ロープ３３，３で支持する。
本例においても、シングルの山側控えロープ３２と逆Ｖ字形の谷側斜ロープ３３，３３とが協働して支柱２０の全方向へ向けた傾倒抑止効果を発揮することができる。
逆Ｖ字形の谷側斜ロープ３３，３３と一対の谷側アンカー１２，１２の作用効果は既述した実施形態と同様であるので説明を省略する。
【００４４】
＜２＞谷側斜ロープのみをシングルにした形態
図８では山側控えロープ３２と谷側斜ロープ３３をＹ字形に配置し、その交点で支柱２０を支持する形態について示す。
すなわち、本例では、支柱２０の斜面山側を一対の山側アンカー１１，１１と一対の山側控えロープ３２，３２で支持し、支柱２０の斜面谷側をひとつの谷側アンカー１２と一本の谷側斜ロープで支持する。
本例においても、シングルの山側控えロープ３２と逆Ｖ字形の谷側斜ロープ３３，３３とが協働して支柱２０の全方向へ向けた傾倒抑止効果を発揮することができる。
【符号の説明】
【００４５】
１０・・・・・斜面
１０・・・・・支柱
１１・・・・・山側アンカー
１２・・・・・谷側アンカー
１３・・・・・側方アンカー
２０・・・・・支柱
２１・・・・・ヒンジ機構
３０・・・・・防護ネット
３１・・・・・網体
３２・・・・・山側控えロープ
３３・・・・・谷側斜ロープ
３４・・・・・間隔保持材
３５・・・・・側方控えロープ
【要約】
[要約]
[課題]簡易な構造で支柱の姿勢を維持しつつ、支柱を定位置に保持すること。
[解決手段]各支柱２０の山側斜面と支柱頭部間にはＶ字形を呈する一対の山側控えロープ３２，３２を張設し、各支柱２０の谷側斜面と支柱頭部間には逆Ｖ字形を呈する一対の谷側斜ロープ３３，３３を張設し、複数の谷側斜ロープ３３，３３でもって防護ネットを構成する網体３１を拘束し、複数の山側控えロープ３２および複数の谷側斜ロープ３３を支柱の頭部に接続して支柱２０を定位置に保持するようにした。【図１】
0005636136.tif 000002
【図２】
0005636136.tif 000003
【図３】
0005636136.tif 000004
【図４】
0005636136.tif 000005
【図５】
0005636136.tif 000006
【図６】
0005636136.tif 000007
【図７】
0005636136.tif 000008
【図８】
0005636136.tif 000009
【図９】
0005636136.tif 000010